(57)【要約】      （修正有）【課題】カバー及び容器を相互に正確に位置決めできる遠心機用カップを提供する。【解決手段】遠心機用カップ1に関し、遠心機用カップ1は、容器2とレバー4付のカバー3とを備え、レバー4は対向する両端縁部にそれぞれガイドエレメントを備え、ガイドエレメントは、レバー4を回動することによって容器2の対応するガイド路5へ導入される。ガイドエレメントは、蓋3で容器2を閉じた状態で、垂直方向分力及び水平方向分力を有した把持力が、ガイドエレメントの特に対応したガイド路5との接触点ないし接触線に与えられるように形成される。【選択図】図１
2010042401.tif 000002
【特許請求の範囲】
【請求項１】
容器(2)とレバー(4)付の蓋(3)とを備え、前記レバー(4)は対向する両端部にそれぞれガイドエレメント(6)を備え、前記ガイドエレメント(6)は、前記レバー(4)を回動することによって前記容器(2)の対応するガイド路(5)への導入が可能な遠心機用カップ(1)であって、
前記ガイドエレメントは、前記蓋(3)で前記容器(2)を閉じた状態で、垂直方向の分力（Ｆｙ）及び水平方向の分力（Ｆｘ）を有した把持力（Ｆ）が、前記ガイドエレメントの特に対応する前記ガイド路(5)との接触点ないし接触線(51)に加えられるように形成されていることを特徴とする遠心機用カップ。
【請求項２】
前記ガイドエレメント(6)は、断面が実質的に円錐形状となるように形成されていることを特徴とする請求項１に記載の遠心機用カップ。
【請求項３】
前記ガイドエレメント(6)は、前記レバー(4)の中心軸方向に向けられていることを特徴とする請求項1又は請求項２に記載の遠心機用カップ。
【請求項４】
前記レバー(4)の回転軸は、前記容器(2)の中心面に位置することを特徴とする請求項１〜請求項３のいずれか１つに記載の遠心機用カップ。
【請求項５】
前記ガイドエレメント(6)は、前記蓋を閉じた状態で、前記容器(2)の中心面(7)に位置することを特徴とする請求項１〜請求項４のいずれか１つに記載の遠心機用カップ。
【請求項６】
前記蓋(3)は、少なくとも１つの位置決めエレメント(15)を有し、該位置決めエレメント(15)は、前記容器(2)の少なくとも１つの凹部(16)に挿入されうることを特徴とする請求項１〜請求項５のいずれか１つに記載の遠心機用カップ。
【請求項７】
前記蓋(3)又は前記容器(2)は、キャッチカム(9)を有し、該キャッチカム(9)は前記レバー(4)と係合することを特徴とする請求項１〜請求項６のいずれか１つに記載の遠心機用カップ。
【請求項８】
前記レバー(4)は、スペーサカム(10)を有し、該スペーサカム(10)は、該スペーサカム(10)に連結された前記レバー(4)及び前記蓋(3)が、前記容器(2)から所定の距離をおいて配置されるように、前記容器(2)に対して位置決めされることを特徴とする請求項１〜請求項７のいずれか１つに記載の遠心機用カップ。
【請求項９】
前記蓋(3)は、少なくとも一部に凹み処理された表面を有することを特徴とする請求項１〜請求項８のいずれか１つに記載の遠心機用カップ。
【発明の詳細な説明】
【技術分野】
【０００１】
本発明は、容器とレバー付の蓋とを備え、レバーは対向する両端部にそれぞれガイドエレメントを備え、ガイドエレメントは、レバーを回動することによって容器の対応するガイド路へ導入できる、遠心機用カップに関する。
【背景技術】
【０００２】
遠心機用カップとして、蓋とこれに対応する容器とのエアロゾル密な閉塞を可能としたものが、先行技術で知られる。留具連結部を備えた遠心機用カップが、ＥＰ００２５９４５Ａ１に開示されている。この留具連結部は、遠心機用カップの上側周縁及びフードの端縁にも、相対向する方向に凸の凸部を備え、これら凸部は、蓋の取り付け後に係合される。この遠心機用カップの上側開口部は、２つの対向する凹部をカップの両側壁に備え、該凹部にフードの対応するタブを係合させることもできる。タブは、凹部の内側に差し込まれてシールを形成する。タブの外側に位置する突起部により、フードを把持し取り外すことができるようになっている。遠心機用カップの蓋を開けて外すには、留具連結部の連結を解除して蓋を外すことができるように、凸部及びタブの少なくとも一方を内側に押圧する必要がある。閉塞装置の開閉頻度により、かつ、外力が加わることにより、素材疲労が徐々に現れ、それによって該装置は、もはや正常に閉塞されず、漏洩しやすくなる。
【発明の概要】
【発明が解決しようとする課題】
【０００３】
遠心機用カップはまた、カバーが、横方向のガイドエレメントを有する蓋を備え、エレメントがガイド路と係合するようにも設計できる。これら係合部品が維持すべき交差に対する要求は比較的高い。さらにはガイド路の製造が通常は複雑でコスト高につくことも問題である。加えて、使用者が、カバー及び容器を相互に正確に位置決めする必要があり、操作性の改善も要求される。
【０００４】
本発明は、遠心処理中常にエアロゾル密が維持される閉塞を確保できる遠心機用カップを提供することを目的としてなされたものである。前記閉塞が自動的に適切な閉位置で形成されることにより、遠心機用カップを容易に開閉することができる。遠心機用カップは、高い費用効率での製造が可能で、かつ、製作交差の要求も低くて済む。さらに、遠心機用カップの閉塞は、均等に分配された閉塞力を遠心機用カップの容器に作用させる。
【０００５】
上記目的は、独立請求項の主題によって達成される。本発明の有利な改良は、従属請求項の主題である。
【課題を解決するための手段】
【０００６】
本発明に係る遠心機用カップは、容器とレバー付の蓋とを備え、レバーは対向する両端縁部にそれぞれガイドエレメントを備える。ガイドエレメントは、レバーを回動することによって容器の対応するガイド路へ導入され、ガイドエレメントは、蓋で容器を閉じた状態で、垂直方向及び水平方向の分力を有した把持力が、ガイドエレメントの特に対応するガイド路との接触点ないし接触線に加えられるように形成される。
【０００７】
本発明によれば、蓋は容器の端縁に確実に押圧されるだけでなく、横方向にも安定して保持される。したがって、横方向への位置ずれは、遠心操作中であっても起こりえない。これは、ガイドエレメントが互いに反対側で保持され、蓋が、閉塞時に中心位置に配置されるからである。このように、蓋が容器に対して自動的にセンタリングされる。加えて、これにより容器の端縁全体に沿って均一な閉塞力を働かせることができる。製作交差に対する要求は、前記の自動的なセンタリングにより比較的低くなり、その結果、費用効率の高い製造が可能となる。ガイドエレメントは、好ましくは円錐状の断面に形成される。
【０００８】
円錐形状は製造が容易で、また、閉塞力が垂直方向に生じるだけでなく、力ベクトルが水平方向にも付与されるという確かな効果が得られる。
【０００９】
本発明の一実施形態によれば、ガイドエレメントは、レバーの中心軸に向かう方向に位置付けられる。このように、ガイドエレメントは、外側には突出しないので、レバー操作時に、他の物体が意図せず引っ掛かるような惧れは小さい。これは、対応するガイド路についても同様であり、ガイド路は、容器の中心軸に向かう方向に位置付けられる。このようにガイド路は外側に突出せず、蓋を外した状態での使用時に、ガイド路が何かと干渉するような突起物となることもない。
【００１０】
レバーの中心軸は、好ましくは、容器の中心面に配置される。これにより、対称的な構造となり、遠心機用カップの各側面それぞれに、ガイド路を１個だけ要し、かつ、蓋閉塞用のレバーを１個だけ要するようになる。さらに有利なことは、蓋を、向きを気にせずに装着できることであり、これは、対称であることにより、０°又は１８０°の位置に置くことが可能となったことによる。このことは、円形又は多角形の容器について同様に当てはまる。
【００１１】
ガイドエレメントが、蓋の閉塞位置で容器の中心面に位置すると、容器に対称的に作用する垂直方向の圧力が得られる。これにより、容器の端縁に沿って均等な閉塞力が分配されるようになる。
【００１２】
本発明の１実施形態では、蓋は少なくとも１個の位置決めエレメントを有し、該エレメントは、容器の少なくとも１つの凹部に挿入されるよう構成されてもよい。蓋を固定的に押圧することなく、容器に対する蓋の定義位置が予め与えられる。容器に対する蓋の事前の位置決めを、このようにして達成できる。これはまた、円形の遠心機用カップで特に有利であり、複数の位置決めエレメントを使用して複数の閉塞位置を設けることもできる。位置決めエレメントによって、ぴったりとした結合が可能となり、これはまたツイストロックにも相当する。
【００１３】
蓋又は容器は、レバーと係合可能なキャッチカムを有することもできる。蓋の閉塞時、レバーはキャッチカムと係合でき、それによってロックされる。一方、レバーは、キャッチカムを介して外側に動かすこともでき、これにより、閉動作時に抵抗が乗り越えられて、使用者にレバーが閉塞位置に到達したことを知覚させる。キャッチカムは、このように、レバーの閉塞位置到達用の指示器を構成する。
【００１４】
レバーは、好ましくはスペーサカムを有し、該カムは容器に配設され、それによって、そこに連結されたレバー及び蓋が、容器に対して所定の距離をおいて配置されるようにしてもよい。容器内に不完全真空を生じたり、容器シールが蓋に接着されたりしたときに、レバーを対応する位置に調整することにより、スペーサカムが容器の一部を押圧して蓋を強制的に容器から持ち上げるようにしてもよい。これにより、強制的に通気が行われる。
【００１５】
本発明に係る遠心機用カップの蓋は、少なくとも一部に凹み処理された表面を有する。これは、特に片手で操作する際に都合がよい。手の腹を凹んだ表面に載せると、レバーの前弓形部に指先が到達可能となる。一方、指先を凹溝に載せ、親指を使ってレバーの前弓形部を掴んでもよい。これにより、蓋を開いて持ち上げるとき、あるいは、閉じるときの操作が容易となる。
【００１６】
本発明の実施形態を、以下の概略図面に基づいて詳細に説明する。
【図面の簡単な説明】
【００１７】
【図１】本発明に係る遠心機用カップの第１実施形態に係る側面概略図で、レバーが第１の位置に位置しているときを示す。
【図２】本発明に係る遠心機用カップの第１実施形態における蓋と容器間の変位領域を示す断面図。
【図３】遠心機用カップと、蓋のレバー回転軸との相対位置を示す概略図。
【図４】本発明に係る遠心機用カップの第２実施形態に係る側面概略図で、レバーが第２の位置に位置しているときを示す。
【図５】本発明に係る遠心機用カップの第３実施形態に係る側面概略図で、レバーが第３の位置に位置しているときを示す。
【００１８】
図１によれば、本発明に係る遠心機用カップ１は、容器２と蓋３とを有し、蓋３は、レバー４を有し、レバー４を用いて蓋３で容器２を閉じることができる。図１に示す第１実施形態では、遠心機用カップは円形状として実施されているが、矩形として実施される遠心機用カップもまた、以下に説明する閉塞に供しうることに留意すべきである。レバー４は、図２に示すように、対向する側面ないし端縁部に各々ガイドエレメント６を有し、これらエレメント６は、レバー４の回動によって、ガイド路５に導入される。本発明に係る遠心機用カップ１は、ガイドエレメント６を備え、該エレメント６は、実質的に円錐断面形状として実施されている。その形状は、正円錐（いわゆる鳩尾形断面）、あるいは、図２に示すような傾斜した円錐から派生したものでもよい。円錐状のガイドエレメント６は、ガイド路５との間に逃げ溝が形成されるような形状とされ、ガイド路５もまた、円錐状断面で実施される。このように、ガイド路５は支持部を形成する。ガイド路とガイドエレメントとの間の接触線５１には、掴み力ないし接触圧力Ｆが作用し、該力Ｆは、水平方向成分Ｆｘと垂直方向成分Ｆｙとを有する。垂直方向成分Ｆｙは下方に向けられ、これにより、蓋３及びシール１１の少なくとも一方が、容器２に抗して押圧される。水平方向成分Ｆｘは、レバー４の中心軸方向に向けられ、ガイドエレメント６をレバー４の中心軸方向に向けるように作用する。これらの力状態は、レバーの両側部に生じるので、レバー及びこれに伴って蓋が、閉動作中、容器２に対して中心位置に向けられる。ガイドエレメント６はまた、円錐形状の代わりに、同様な断面形状として、これに対応して形成されたガイド路により支持部が形成されるようにしてもよい。したがって、接触線５１は、直線状か、内側に湾曲（凹形）するか、あるいは、外側に湾曲（凸形）して、延びることとしてもよい。
【００１９】
図３は、容器２及び容器２に関連する中心面の斜視概略図を示す。中心面は、容器２の対称線７１を通って延びる。レバー４の回転軸８は、図３に閉塞位置状態で示され、この中心面内を通る。このように、蓋３は容器２上に０°又は１８０°の位置で装着できる。したがって、蓋３で容器２を閉じるために、容器２の１つの側面につき、各々ただ１個のレバーと、同じくただ１個のガイド路を必要とするだけである。
【００２０】
図３に示したレバー４の配置はまた、図４の側面図でも認識できる。図１に示した第１の位置から図４に示した第２の位置までのレバー４が移動することによって、ガイドエレメント６が対応するガイド路５に係合するだけではない。加えて、図４に示した実施形態では、キャッチカム９が蓋３に取り付けられ、これにより、レバー４の第２の位置への移動が少しだけ抑制される。レバー４は、十分な弾性を有したプラスチックで形成されていて、第１の位置から第２の位置への移動の際、キャッチカム９通過時に生じる抵抗に打ち勝つために、幾分細長く形成される。使用者は、この抵抗を知覚することができ、これによってキャッチカムを乗り越えた後、レバー４が正確な第２の位置及び閉塞位置の少なくとも一方に到達したことを認識する。加えて、事前の位置決めの補助として、位置決めエレメント１５を蓋３に取り付けてもよく、位置決めエレメント１５は、容器の凹部１６と係合し、閉動作中の滑り防止に貢献する。
【００２１】
レバー４の第２の位置から第１の位置への回動時に、蓋３が容器２から取り外せないことが起こりうる。この原因としては、例えば、容器２内が不完全真空状態となることや、蓋３のシール１１が固着することが考えられる。蓋３を容器２から確実に取り外すため、さらに別の実施形態では、レバー４はスペーサカム１０を有し、レバー４が第１の位置から図５に示す第３の位置まで移動した時に、カム１０が容器２の接触面１２と係合する。レバー４が、その直後にストッパ１３に当たり、その結果、レバー４は休止位置に位置決めされる。スペーサカム１０により、蓋３は持ち上げられるようにガイドされ、その結果、蓋３は容器２から取り外される。
【００２２】
レバー４の操作は、蓋３が凹部表面１４を有すると、より容易にすることができる。手の腹をこの凹部表面に載せて、指を使ってレバー４を閉位置の方向に移動することができる。凹部表面１４は、レバー及び遠心機用カップの少なくとも一方が、より操作しやすくなるように、人間工学的に形成される。
【図１】
2010042401.tif 000003
【図２】
2010042401.tif 000004
【図３】
2010042401.tif 000005
【図４】
2010042401.tif 000006
【図５】
2010042401.tif 000007
【外国語明細書】
2010042401000001.pdf
2010042401000002.pdf
2010042401000003.pdf
2010042401000004.pdf